(57)【要約】 【課題】荷重を安定状態で支持し得るパレット等の構造体を、コスト低減を図って多品種少量生産可能とする、２部材結合の結合構造物を提供する。【解決手段】複合部材３と結合部材４とを結合してなる結合構造物である。複合部材３は積層支持材１３の側面に添材１９を接着により固定してなる。積層支持材１３は紙管原紙からなる板紙の複数枚を、その表面相互を接着して積層状態に貼り合わせてなり、板紙の積層方向で見た両側面に、段ボール製の添材１９が接着により固定されている。積層方向と直交する対向した支持端面３１，３１が面一に形成されてなり、支持端面３１に、紙管原紙を用いて製造された結合部材４が、当接状態で接着により固定されている。【選択図】図７
2009046140.tif 000002
【特許請求の範囲】
【請求項１】
複合部材と結合部材とを結合してなる結合構造物であって、
該複合部材は、対向する表面が平滑な硬質面として形成された板紙の複数枚を該表面相互を接着して積層状態に張り合わせてなり該板紙の積層方向と直交する方向の荷重を支持する積層支持材の、該板紙の積層方向で見た両側面又はその一方の側面に、紙製又は発泡合成樹脂製の添材が接着により固定されてなり、該複合部材の、前記積層方向と直交する方向で見た対向する端面の少なくとも一方が支持端面とされ、
該支持端面に、紙製の前記結合部材が当接状態で固定されてなることを特徴とする結合構造物。
【請求項２】
前記支持端面は、前記積層方向と直交する方向に対して直角を呈することを特徴とする請求項１記載の結合構造物。
【請求項３】
前記複合部材の前記積層方向と直交する方向で見た対向する端面の両方が支持端面とされ、該両支持端面は、夫々面一に形成されていることを特徴とする請求項１又は２記載の結合構造物。
【請求項４】
前記板紙は古紙を原料として形成されていることを特徴とする請求項１又は２記載の結合構造物。
【請求項５】
前記板紙は紙管原紙であることを特徴とする請求項１又は２記載の結合構造物。
【請求項６】
前記添材は、対向するライナー間に、山と谷を交互に繰り返す波形の中芯が介装されてなる段ボールを用いて形成されており、該添材が、該中芯の波形の端面が前記支持端面の一部をなすように前記積層支持材の前記側面に固定されてなることを特徴とする請求項１又は２記載の結合構造物。
【請求項７】
前記添材は、山と谷を交互に繰り返す波形の中芯にライナーを張り合わせてなる段ボールを用いて形成されており、該中芯の、山と谷の並設方向で見た端部分と、前記ライナーとの間で形成された溝状部の端面が前記支持端面の一部をなすように、前記添材が前記積層支持材の前記側面に固定されてなることを特徴とする請求項１又は２記載の結合構造物。
【請求項８】
前記添材は、対向するライナー間に、山と谷を交互に繰り返す波形の中芯が介装されてなる段ボールを用いて形成されており、該添材が、該対向するライナーの何れかの表面が前記支持端面の一部をなすように前記積層支持材の前記側面に固定されてなることを特徴とする請求項１又は２記載の結合構造物。
【請求項９】
前記添材は、山と谷を交互に繰り返す波形の中芯の片面にライナーを張り合わせてなる段ボールを用いて形成されており、該添材が、該ライナーの表面又は該中芯の表面が前記支持端面の一部をなすように前記積層支持材の前記側面に固定されてなることを特徴とする請求項１又は２記載の結合構造物。
【請求項１０】
前記支持端面と前記結合部材とは、接着剤を介して固定されていることを特徴とする請求項１又は２記載の結合構造物。
【請求項１１】
前記支持端面と前記結合部材とは、前記積層支持材の端面に打ち込まれるタッカーを介して固定されていることを特徴とする請求項１又は２記載の結合構造物。
【請求項１２】
前記支持端面と前記結合部材とは、互いに着脱可能に係着し得る一対のファスナ片からなる面ファスナを介して着脱可能に固定されており、一方のファスナ片が前記支持端面に固着されると共に他方のファスナ片が前記結合部材に固着されていることを特徴とする請求項１又は２記載の結合構造物。
【請求項１３】
請求項１〜１２の何れかに記載の結合構造物を用いて構成されたパレットとしての構造体であって、荷物を下方から支持するデッキボードと該デッキボードを下方から支持する桁材とを具えており、前記板紙の積層方向と直交する方向が上下方向である複合部材を以て該桁材が構成されると共に、該複合部材の前記支持端面に、紙製の結合部材を以てなる前記デッキボードが、該支持端面に当接状態に固定されてなることを特徴とする構造体。
【請求項１４】
請求項１〜１２の何れかに記載の結合構造物を用いて構成されたパネルとしての構造体であって、芯材と該芯材に固定される面材とを具えており、前記複合部材を以て該芯材が構成されると共に、該複合部材の前記支持端面に、紙製の結合部材を以てなる前記面材が、該支持端面に当接状態に固定されてなることを特徴とする構造体。
【発明の詳細な説明】
【技術分野】
【０００１】
本発明は、複合部材と結合部材とを結合してなる結合構造物に関するものであり、又、該結合構造物を用いて構成された、パレットやパネル（壁パネル、フラッシュ戸、間仕切りパネル等）としての構造体に関するものである。
【背景技術】
【０００２】
近年、地球環境保護の観点から、リサイクル効率のよい素材を一部又は全部に使用した構造体が開発されている。
【０００３】
その一例として、特開２０００−３０２１２９号公報が従来技術として開示する、段ボール等の紙製素材を用いたパレットが存する。該パレットの一態様は、図４２に示すような、平板状段ボールからなる表面部ａと裏面部ｂとの間に、平板状ダンボールを積層してなる桁材ｃを介在させ、該桁材ｃを該表面部ａと該裏面部ｂに接着により固定してなるものであった。又、該パレットの他の態様は、図４３に示すような、平板状段ボールからなる表面部ａと裏面部ｂとの間に、紙管からなる桁材ｃを前後左右に間隔を置いて介在させ、該桁材ｃを該表面部ａと該裏面部ｂに接着により固定してなるものであった。
【０００４】
しかしながら、積層段ボール製の桁材を使用してなる前者のパレットにあっては、段ボールは圧縮強度がそれほど高くないために、前記表面部ａに載置し得る物品の重量に制約があり、重荷重の物品は支持し難い問題があった。
【０００５】
又、紙管製の桁材を使用してなる後者のパレットにあっては、紙管の圧縮強度は大きくても、紙管の上下端の薄肉の周縁部で積載荷重を支持することになるため、物品が前記表面部ａに載置された状態で横揺れが生じた場合は、該桁材が倒れる桁倒れが発生する恐れがあった。特に、物品が該表面部ａに偏って載置された場合は、一部の紙管に荷重が集中するために桁倒れが発生し易い等、パレットの支持状態が不安定化し易い問題があった。加えて、フォークリフトのフォークを差し込んだ際に該フォークが紙管に衝突すると紙管が倒れ易い等、パレットの物品支持状態が不安定化し易い恐れもあった。このように、紙管製の桁材を使用してなるパレットは横方向の荷重に対して強度的に弱い問題があったのである。
【０００６】
特開２０００−３０２１２９号に係る段ボールパレットは、これら従来のパレットの強度上の問題点を解決すると共に、組立て作業手間を削減して量産化を達成せんとして提案されている。該段ボールパレットは、図４４に示すように、物品が載置される表面部ａと、これに対向する裏面部ｂと、これら表裏面部と交わる方向に配置されて表裏面部間に間隙を形成する側面部ｄとを、平板状段ボールを素材として一体に成形し、該表裏面部間の間隙に段ボール桁材ｅを設けた構成を有していた。そして該桁材は、段ボールを重ね貼りすることにより強度を確保していた。
【０００７】
しかしながら、かかる一体成型形の段ボールパレットによるときは、段ボール桁材を補強してパレットの強度を確保するために、補強片を複雑な折り曲げ加工によって形成しなければならず、平板状段ボールをこのように折り曲げ加工するための型を必要とした。このような折り曲げ型を用いる製造方法は、小品種のパレットを大量生産する上では好適であった。しかしながら、物品の形状や重量に応じて多品種のパレットを小ロット生産せんとするときは、高価な折り曲げ型を多種類用意しなければならないことになり、製造コストの大幅な上昇を招く問題があったばかりか、複雑な折り曲げ加工を要するために加工工数が増大し、製造能率が悪く製造コストの上昇を招く問題があった。
【特許文献１】特開２０００−３０２１２９号公報
【発明の開示】
【発明が解決しようとする課題】
【０００８】
本発明は、前記従来の問題点等に鑑みて開発されたものであり、パレットやパネル（壁パネル、フラッシュ戸、間仕切りパネル等）等としての構造体を多品種小ロット生産するために用いて好適な結合構造物の提供を課題とするものであり、又、該結合構造物を用いて構成されたパレットやパネルとしての構造体に関するものである。
【０００９】
より具体的には、パレット等の構造体における荷重支持の安定性向上を達成できると共に、該構造体を、支持すべき個々の荷重に適合させて所要の形状やサイズに設定するのを容易化して、該構造体の多品種小ロット生産を可能とし、しかも、かかる構造体の製造コストの低減も達成させ得る結合構造物の提供を課題とするものである。又、該結合構造物を用いて構成された、荷重支持の安定性に優れると共に軽量でもあるパレットやパネルとしての構造体の提供を課題とするものである。
【課題を解決するための手段】
【００１０】
前記課題を解決するため本発明は以下の手段を採用する。
【００１１】
即ち本発明に係る結合構造物は、複合部材と結合部材とを結合してなる結合構造物であって、該複合部材は、対向する表面が平滑な硬質面として形成された板紙の複数枚を該表面相互を接着して積層状態に張り合わせてなり該板紙の積層方向と直交する方向の荷重を支持する積層支持材の、該板紙の積層方向で見た両側面又はその一方の側面に、紙製又は発泡合成樹脂製の添材が接着により固定されてなる。そして該複合部材の、前記積層方向と直交する方向で見た対向する端面の少なくとも一方が支持端面とされ、該支持端面に、紙製の前記結合部材が当接状態で固定されてなることを特徴とするものである。該結合構造物において、前記支持端面は、前記積層方向に対して直角を呈するように構成するのがよい。
【００１２】
前記結合構造物において、前記複合部材の前記積層方向と直交する方向で見た対向する端面の両方を支持端面とし、該両支持端面は、夫々面一に形成するのがよい。
【００１３】
前記結合構造物において、前記板紙は、古紙を原料として形成されたものを用いるのがよい。該板紙は、好ましくは紙管原紙を用いるのがよい。
【００１４】
前記結合構造物において、前記添材は、対向するライナー間に、山と谷を交互に繰り返す波形の中芯が介装されてなる段ボールを用いて形成し、該添材が、該中芯の波形の端面が前記支持端面の一部をなすように前記積層支持材の前記側面に固定されたものとして構成するのがよい。
【００１５】
又、前記結合構造物において、前記添材は、山と谷を交互に繰り返す波形の中芯にライナーを張り合わせてなる段ボールを用いて形成し、該中芯の、山と谷の並設方向で見た端部分と、前記ライナーとの間で形成された溝状部の端面が前記支持端面の一部をなすように、前記添材が前記積層支持材の前記側面に固定されたものとして構成するのがよい。
【００１６】
又、前記結合構造物において、前記添材は、対向するライナー間に、山と谷を交互に繰り返す波形の中芯が介装されてなる段ボールを用いて形成し、該添材が、該対向するライナーの何れかの表面が前記支持端面の一部となるように前記積層支持材の前記側面に固定されたものとして構成するのもよい。
【００１７】
又、前記結合構造物において、前記添材は、山と谷を交互に繰り返す波形の中芯の片面にライナーを張り合わせてなる段ボールを用いて形成し、該添材が、該ライナーの表面又は該中芯の表面が前記支持端面の一部となるように前記積層支持材の前記側面に固定されたものとして構成するのもよい。
【００１８】
前記支持端面と前記結合部材とは、接着剤を介して固定することができる他、前記積層支持材の端面に打ち込まれるタッカーを介して固定することもできる。又、互いに着脱可能に係着し得る一対のファスナ片からなる面ファスナを介して着脱可能に固定することもできる。この場合、一方のファスナ片が前記支持端面に固着されると共に他方のファスナ片が前記結合部材に固着される。
【００１９】
本発明に係る構造体の一つは、前記した何れかの結合構造物を用いて構成されたパレットとしての構造体であって、物品を下方から支持するデッキボードと該デッキボードを下方から支持する桁材とを具えており、前記板紙の積層方向と直交する方向が上下方向である複合部材を以て該桁材が構成されると共に、該複合部材の前記支持端面に、紙製の結合部材を以てなる前記デッキボードが、該支持端面に当接状態に固定されてなることを特徴とするものである。
【００２０】
又、本発明に係る構造体の他は、前記した何れかの結合構造物を用いて構成されたパネルとしての構造体であって、芯材と該芯材に固定される面材とを具えており、前記複合部材を以て該芯材が構成されると共に、該複合部材の前記支持端面に、紙製の結合部材を以てなる前記面材が、該支持端面に当接状態に固定されてなることを特徴とするものである。
【発明の効果】
【００２１】
本発明は以下の如き優れた効果を奏する。
(1) 本発明に係る結合構造物は、板紙の複数枚を積層状態に張り合わせてなる積層支持材の両側面又は一方の側面に、紙製又は発泡合成樹脂製の添材を接着により固定してなる複合部材を用い、該複合部材の、前記板紙の積層方向と直交する対向した支持端面に、紙製の結合部材を当接状態で固定してなる構成を有する。
【００２２】
かかることから本発明によるときは、複合部材を構成する積層支持材によって、該積層支持材が紙製でありながらも荷重を安定的に支持できる。そして該複合部材は、該積層支持材の両側面又は一方の側面に添材が接着により固定されていることから、荷重を支持した状態にある積層支持材が倒れるのを該添材によって確実に防止できる。又、該添材の端面は前記支持端面の一部をなして該支持端面の面積の拡大をもたらしているため、該支持端面に結合部材を当接状態で安定的に固定させることができ、強度的に安定した結合構造物を構成できる。又、前記積層支持材と前記結合部材が軽量な紙製であり、且つ前記添材も、軽量な紙製や発泡合成樹脂製であるため、該結合構造物を軽量に構成できることとなる。
【００２３】
従って、かかる結合構造物を用いて構成されたパレットやパネル（壁パネル、フラッシュ戸、間仕切りパネル等）等の構造体を、外力に対する強度に優れたものとして構成でき、しかも極力軽量に構成できるのである。
【００２４】
該結合構造物を、特にパレットの製作に用いた場合は、積載される物品の重量と形状に応じた強度と形状、大きさを有する極力軽量なパレットを、コスト低減を図って多品種小ロット生産できる利点が大きい。
【００２５】
(2) 積層支持材を構成する板紙として、紙管原紙等の古紙使用割合のより高い板紙を用いることとし、前記添材を、古紙使用割合のより高い段ボール等の紙製とする場合は、古紙活用によって地球環境保護に寄与できる利点がある。
【００２６】
(3) 特に、添材を段ボールを以て形成する場合、該添材を、段ボールの中芯の波形の端面が前記支持端面の一部をなすように積層支持材の側面に接着により固定するときは、該波形の稜線が前記板紙の積層方向と直交する方向になるため、該段ボールによる荷重支持の補助作用がより効果的に得られることになる。
【００２７】
又、前記添材を段ボールを用いて形成する場合、該段ボールのライナーの表面や該段ボールの中芯の表面、又、該中芯の溝状部の端面が前記支持端面の一部をなすように該添材を積層支持材の側面に固定するときは、結合部材を支持端面に接着剤を介して固定する際、接着剤が該溝状部に溜まった状態となって該支持端面への接着剤の付着が良好となるため、接着力の向上を期し得ることとなる。
【００２８】
前記支持端面と前記結合部材とを面ファスナを介して着脱可能に固定する場合は、パレット等の構造体の組み立てと分解が容易となるため、該構造体を、分解状態で省スペース化を図って経済的に輸送できることになる。
【００２９】
(4) 又、本発明に係るパレットやパネルとしての構造体は、前記結合構造物を用いてなるため、荷重支持状態の安定性に優れると共に軽量でもある。
【実施例１】
【００３０】
図１〜２は、本発明に係る結合構造物１を用いて構成されたパレット２ａとしての構造体２を示すものであり、桁材３ａとしての複合部材３と、物品を下方から支持するデッキボード４ａとしての結合部材４との結合からなる結合構造物１を具えている。又、桁材３ａとしての複合部材３と、該桁材３ａ，３ａ，３ａを連結する連結板４ｂとしての結合部材４との結合からなる結合構造物１を具えている。
【００３１】
該パレット２ａは、図１〜２に示すように、前後方向に延長する直線状を呈する左右側の桁材３ａ，３ａ（３ａ１，３ａ１）の上の面５，５と、前後方向に延長する直線状を呈する中央の桁材３ａ（３ａ２）の上の面５に、物品を下方から支持する矩形板状を呈するデッキボード４ａが、例えば接着剤を介して固定されている。又、該桁材３ａ１，３ａ１，３ａ２の下の面９，９，９の前後に位置させて、左右方向に延長する前後の連結板４ｂ，４ｂが、例えば接着剤を介して固定されており、隣り合う桁材３ａ１，３ａ２、３ａ１，３ａ２間が夫々、フォークリフトのフォークの差込口１１，１１とされている。そして、パレットの前後幅Ｌ１と左右幅Ｌ２は夫々、例えば、約７００ｍｍ、約１１００ｍｍに設定され、パレット高さＨ１は約１０７ｍｍに設定されている。
【００３２】
前記左右側の桁材３ａ１，３ａ１としての複合部材３，３は、図３、図５、図６、図８、図９、図１０に示す構成を有しており、前記中央の桁材３ａ２としての複合部材３は、図４、図７、図９、図１１に示す構成を有している。前記左右側の桁材３ａ１，３ａ１を構成する複合部材３，３と、前記中央の桁材３ａ２を構成する複合部材３は、図１０、図１１に示す積層支持材１３を用いる点では共通している。
【００３３】
そして該積層支持材１３は、図１０、図１１に示すように、対向する表面１５，１５が平滑な硬質面として形成された板紙１６の複数枚を、該表面１５，１５相互を接着剤で接着して積層状態に張り合わせてなり、該積層方向に加圧されて全体が一体化されている。該板紙１６は、古紙を原料とした紙管原紙等の板紙を用いるのがよい。本実施例においては、構成すべき積層支持材１３の圧縮強度をより向上させるために、１ｍｍ厚さで坪量が６６０〜６８０程度の高密度で圧縮強度が高い紙管原紙を用いている。又、前記接着剤としては、例えば酢酸ビニル樹脂エマルジョンを用いるのがよい。
【００３４】
前記左右側の桁材３ａ１，３ａ１を構成する複合部材３，３は、図９〜１０に示すように、前記板紙１６の７枚を積層状態に張り合わせてなる約７ｍｍ厚さの内側の積層支持材１３（１３ａ）と、前記板紙１６の４枚を積層状態に張り合わせてなる約４ｍｍ厚さの外側の積層支持材１３（１３ｂ）とが、該板紙１６の表面１５を垂直面にして、内外に所要間隔を置いて平行した対向状態で配置されると共に、該内外の積層支持材１３ａ，１３ｂ間に、段ボール１７を重ね貼りして形成した添材１９が介装されている。そして、該添材１９の内面２０と前記内側の積層支持材１３ａの外面２１とが接着により固定されると共に、該添材１９の外面２２と前記外側の積層支持材１３ｂの内面２３とが接着により固定されて構成されている。かかる構成の複合部材３にあっては、前記積層支持材１３の前記板紙１６の積層方向で見た一方の側面（外面２１又は内面２３）２４にのみ添材１９が接着により固定されている。本実施例においては、該左右側の複合部材３，３の厚さＬ３は約４６ｍｍに設定され、該複合部材３，３の高さＨ２は約８８ｍｍに設定されている。
【００３５】
又、前記中央の桁材３ａ２を構成する複合部材３は、図９、図１１に示すように、前記板紙１６の１６枚を積層状態に張り合わせてなる約１６ｍｍ厚さの積層支持材１３（１３ｃ）を用い、該板紙１６の表面１５を垂直面にした状態で該積層支持材１３ｃの両側面２４，２４に、段ボール１７を重ね貼りして形成された添材１９，１９が接着により固定されている。本実施例においては、該中央の複合部材３の厚さＬ４は約４４ｍｍに設定され、その高さＨ３は約８８ｍｍに設定されている。
【００３６】
なお説明の便宜上、図９においては、積層支持材１３にハッチングを付している。
【００３７】
ここに前記段ボール１７は、図１２に示すように、ライナー２５，２５間に、山と谷を交互に繰り返す波形の中芯２７が介装されてなる例えば複両面段ボールとして形成されている。本実施例においては、図１２に示すように、該段ボール１７を用いて構成された前記添材１９が、該中芯２７の波形の稜線が上下方向となるように位置決めされ、図９〜１０に示す左右側の複合部材３，３及び、図９、図１１に示す中央の複合部材３は、共に、積層支持材１３の端面２９と添材１９の端面３０が面一（水平）を呈する。これにより、前記積層方向と直交する対向した上下の支持端面３１，３１、３１，３１、３１，３１が、夫々、該積層方向と直交する方向に対して直角を呈する水平面に形成されている。該段ボール１７としては、両面段ボール、複々両面段ボール、片面段ボールを用いることもできる。
【００３８】
前記デッキボード４ａとしての結合部材４は、本実施例においては図１３に示す構成を有する。該結合部材４は、板紙１６からなる上下の積層板３２，３２間に段ボール１７を介在させ、全体を接着により張り合わせてなる矩形板状を呈している。該積層板３２は、例えば、紙管原紙の４枚を接着により積層状態に張り合わせてなる、約４ｍｍ厚さの平板状のものであり、該結合部材４の厚さは、載置される物品を下方から支持するに必要な強度を有するように例えば約１４ｍｍに設定されている。
【００３９】
又、前記連結板４ｂとしての結合部材４は、本実施例においては図１４に示す構成を有する。該結合部材４は、例えば紙管原紙としての板紙１６の４枚を接着により積層状態に張り合わせてなる平板状を呈し、約４ｍｍ厚さの細長な矩形板状を呈している。
【００４０】
かかる構成を有するデッキボード４ａは、図３〜９に示すように、前記上の支持端面３１，３１，３１に接着剤を介して固定される。又、前記連結板４ｂは、図３〜９に示すように、前記下の支持端面３１，３１，３１に接着剤を介して固定される。これらの接着による固定は、前記添材１９によって面積が拡大されてなる面一の該支持端面３１の全面に亘って、接着剤を介して行なわれるため、安定状態で強固に行なわれることになる。該接着剤としては、例えば酢酸ビニル樹脂エマルジョンを用いるのがよい。
【００４１】
そして、厚みの小さい積層支持材１３の単体を、図１５（Ａ）に示すように桁材として用いたとすれば、荷重支持力は大きくても転倒し易いのであるが、実際には図１５（Ｂ）に示すように前記添材１９が該積層支持材１３に接着により固定されるために、該積層支持材１３の立設状態を安定的に保持でき、荷重支持力を所要に発揮させることができるのである。
【００４２】
このような構成を有するパレット２ａにあっては、前記のように、複合部材３と結合部材４とからなる結合構造物１が、前記桁材３ａと前記デッキボード４ａとの組み合わせや、前記桁材３ａと前記連結板４ｂとの組み合わせからなるものとして組み込まれた状態にある。そして、該パレット２ａは、桁材３ａ，３ａ，３ａ、デッキボード４ａ、連結板４ｂが紙製であるため、軽量に構成される。
【００４３】
かかる構成を有するパレット２ａによるときは、前記デッキボード４ａに所要の物品が載置されることにより、その荷重が前記桁材３ａ，３ａ，３ａで支持されることになる。この荷重支持は次のように安定状態で行われる。
【００４４】
即ち、パレット２ａの桁材３ａ，３ａ，３ａを構成する前記複合部材３は前記のように、対向する表面１５，１５（図１０〜１１）が平滑な硬質面として形成された板紙（本実施例においては紙管原紙）１６の所要枚数を、該表面１５，１５相互を接着して積層状態に張り合わせてなる積層支持材１３を有している。そして該積層支持材１３は、該表面１５が垂直面を呈する垂直状態に配置され、その垂直な側面２４に前記添材１９が接着により固定されている。
【００４５】
このように積層支持材１３は、全ての板紙１６の、硬質面である前記表面１５，１５が垂直面を呈するため、該板紙１６の積層方向と直交する方向の荷重（垂直荷重）に対して圧縮強度が大きく、該垂直荷重の支持力が大きい。しかしながら、該積層支持材１３は比較的薄肉のものであるために、図１５（Ａ）に基づいて説明したように、前記桁材３ａ，３ａ，３ａを該積層支持材１３だけで構成したとすれば、横方向の荷重に対して非常に不安定であるため、前記デッキボード４ａに所要の物品を載置した際に桁材３ａが容易に転倒（桁倒れ）してしまう。そこで本発明においては、前記のように、積層支持材１３の垂直な側面２４に添材１９を接着し、複合部材３に一定の厚みをもたせているのである。このように接着された添材１９は、横揺れ等の横方向の荷重に対して安定性を高め、垂直荷重を支持した状態にある積層支持材１３を垂直状態で安定的に保持させるのである。これにより該複合部材３は、パレット２ａの桁材３ａとして有効に機能し得ることとなる。
【００４６】
なお本実施例においては、段ボール製の添材１９を前記積層支持材１３に接着により固定するに際し、段ボールの前記中芯の波形の端面３３，３３（図１２）が前記支持端面３１の一部をなすように、即ち、波形の稜線３５が上下方向となるように固定している。これにより、両ライナー２５，２５と中芯２７とによって、上下方向の荷重に対し該添材１９の圧縮強度が向上されるため、積載荷重支持の補助作用がより効果的に得られることになる。
【００４７】
本実施例において、もしも図１６に示すように、前記と同一の厚さを有する積層支持材１３を、前記板紙１６の積層方向を上下方向にして構成したとすれば、かかる構成の積層支持材１３は、その両側面又は一方の側面に前記と同様の添材１９が接着されたとしても、板紙１６の表面１５，１５相互が剥がれ易く横方向の荷重に対して非常に不安定で、中間で折れやすい。そのため、かかる構成の積層支持材では、複合部材３による荷重の支持状態が不安定化することになる。なお、積層支持材１３の水平方向の幅（厚さ）を大きくして荷重支持力を大きくすることも考えられないではないが、そのためには、板紙１６の積層枚数を非常に多いもの（前記桁材と同程度の高さに設定しようとすれば８８枚程度を積層する必要が生ずる）となり、積層支持材の製造コストの上昇を招く不利益が生じてしまう。かかることから本発明では、積層支持材１３を、板紙１６を左右方向に積層して構成することとし、板紙１６を上下方向に積層して構成することとはしていないのである。
【００４８】
このような構成を有するパレット２ａにあっては、前記複合部材３を構成する積層支持材１３の厚さを所要に設定することにより、即ち、板紙１６の積層枚数を所要に設定することにより、又、該複合部材３を構成する積層支持材１３の使用枚数を所要に設定することによって、デッキボード４ａに載置せんとする物品の重量に合わせて桁材３ａの圧縮強度を所要に設定でき、これにより、物品を安定状態で支持できることになるのである。
【００４９】
又このように構成されたパレット２ａは、図１〜２に示すように、その両側に位置する桁材３ａ１，３ａ１の外面３６，３６が、段ボールのライナーや段ボールの端面で形成されているのではなく、硬質の積層支持材１３を以て形成されているため、パレット側面（前記外面）３６に衝撃が加わった場合にもパレットが損傷されにくい。又該積層支持材１３は、パレット側面に段ボールのライナーや段ボールの端面が露出するのを防止し、パレット側面を効果的に化粧することとなる。
【００５０】
図１７（Ａ）（Ｂ）は、複合部材３の支持端面３１としての前記上の面５に、結合部材４としてのデッキボード４ａを当接状態で固定する他の態様を示すものであり、図１７（Ｂ）に示すようなコ字状に屈曲したステープル３７を該デッキボード４ａ側から前記積層支持材１３の端面２９に向けて打ち込むことによって当接状態で固定している。
【００５１】
図１８〜２０は、桁材３ａとしての複合部材３の上の支持端面３１である前記上の面５に、デッキボード４ａとしての結合部材４を面ファスナ３９を用いて当接状態で着脱可能に固定すると共に、桁材３ａとしての複合部材３の下の支持端面３１である前記下の面９に、桁材３ａ，３ａ，３ａを連結する連結板４ｂとしての結合部材４を面ファスナ３９を用いて当接状態で着脱可能に固定してなる組立式のパレット２ａを示すものである。
【００５２】
そのために、互いに当接し得る上下の当接面４０，４１に、互いに着脱可能に係着し得る一方のファスナ片４２を該一方の当接面４０にステープル等を用いて固定すると共に、他方のファスナ片４３を他方の当接面４１にステープル等を用いて固定してなる。そして、両ファスナ片４２，４３の面接触の係合によって、桁材３ａとデッキボード４ａとを一体化させることができ、又、桁材３ａと連結板４ｂとを一体化させることができる一方、両ファスナ片４２，４３の係合状態を解除することによって、桁材３ａとデッキボード４ａ、連結板４ｂを分離可能となされている。なお説明の便宜上、図１９において、積層支持材１３にハッチングを付している。
【００５３】
このようにして桁材３ａとデッキボード４ａ、連結板４ｂを分離可能に固定するときは、パレットを輸送する際、桁材３ａとデッキボード４ａ、連結板４ｂを分離した状態で省スペース化を図って経済的に輸送できる。そして、所定場所に輸送された後は、前記両ファスナ片４２，４３を面接触の係合状態とするように桁材３ａとデッキボード４ａとを当接させると共に、桁材３ａと連結板４ｂとを当接させることにより、所要のパレットを容易に組み立てることができる。
【００５４】
図２１〜２３は、本発明に係る結合構造物１を応用して構成されたパレット２ａのその他の実施例を示すものであり、該パレット２ａは、前記と同様構成の前後方向に延長する直線状を呈する左右側の桁材３ａ１，３ａ１と中央の桁材３ａ２とを具えている。そして該桁材３ａ１，３ａ１，３ａ２の上の面５，５，５（複合部材３の上の支持端面３１，３１，３１）で下方から支持されるように、左右方向に延長する角棒状を呈する、複合部材３としての横架材３ｂの５本が、支持端面３１，３１，３１の前後端部分と中間部分に等間隔で架け渡され、該横架材３ｂの、面一である下面（複合部材３の下の支持端面３１）４６と、前記桁材３ａ１，３ａ１，３ａ２の上の支持端面３１，３１，３１とが接着剤を介して当接状態で固定されている。
【００５５】
前記桁材３ａ１，３ａ１，３ａ２を構成する複合部材３は、本実施例においては図１〜２に示すと同様に構成されている。
【００５６】
前記横架材３ｂを構成する複合部材３は、本実施例においては図２４に示すように、前記と同様構成の積層支持材１３の４枚を所要間隔を置いて平行状態で配置すると共に、隣り合う積層支持材１３，１３間に、段ボール１７を重ね貼りして形成された添材１９が介装され、その側面と積層支持材１３の側面とが、例えば接着剤を介して固定されている。該横架材３ｂは、その厚さが例えば約６４ｍｍに設定されると共にその高さが約５０ｍｍに設定されている。なお説明の便宜上、図２４においては、積層支持材１３にはハッチングを付している。
【００５７】
そして横架材３ｂの５本の、面一である上面（複合部材の上の支持端面３１）４９に、物品を下方から支持するデッキボード４ａの下面５０が当接せしめられ、例えば接着剤を介して固定されている。該デッキボード４ａは，前記実施例におけるパレット２ａのデッキボード４ａと同様の構成を有し、厚さが約１４ｍｍに設定されている。
【００５８】
このような構成を有するパレット２ａにあっては、前記桁材３ａと前記横架材３ｂとの組み合わせからなる結合構造物１と、前記横架材３ｂと前記デッキボード４ａとの組み合わせからなる結合構造物１が組み込まれた状態にある。そして、該パレット２ａは、桁材３ａ、横架材３ｂ、デッキボード４ａが紙製であるため、軽量に構成される。
【００５９】
かかる構成を有するパレット２ａは、デッキボード４ａに載置された物品の荷重が、桁材３ａの並設方向に延長する横架材３ｂによっても支持されるため、即ち、前後方向に延長する桁材３ａと左右方向に延長する横架材３ｂの双方によって下方から支持されるため、物品の支持状態がより安定したものとなる。
【００６０】
図２５は、図１〜２に示すパレット２ａにおいて、桁材３ａ，３ａ，３ａの下の面９に固定される前後の連結板４ｂ，４ｂを省略した構成を有しており、複合部材３としての桁材３ａと、結合部材４としてのデッキボード４ａとが結合構造物１を構成している。
【００６１】
図２６は、中央の桁材３ａ２として、前記側部の桁材３ａ１と同様構成のものを用いて構成したパレット２ａを示すものである。即ち、所要間隔を置いて対向状態で隣り合う積層支持材１３，１３間に添材１９を介装し、該添材１９を該積層支持材１３，１３の側面２４，２４に接着により固定してなる複合部材３を用いて構成している。このように構成するときは、中央の桁材３ａ２の側面５０，５０が硬質の積層支持材１３で保護された状態にあるため、桁材間に差し込まれたフォークが該側面５０，５０に当たったときにも該中央の桁材３ａ２が損傷されにくい。
【００６２】
図２７〜２８、図２９は、本発明に係る結合構造物１を用いて構成されてなるパネル（壁パネル、間仕切りパネル、フラッシュ戸等）２ｂとしての構造体２を示すものである。該パネル２ｂは、前記複合部材３としての芯材（縦芯材３ｃ１、横芯材３ｃ２、中間芯材３ｃ３）３ｃの対向端面５１，５１（支持端面３１，３１）に、例えば平板状を呈する、結合部材４としての面材４ｃ，４ｃが当接され、且つ、図２９に示すように、該芯材３ｃの当接面５３と該面材４ｃの当接面５５とが、例えば接着剤を介して固定されている。該面材４ｃは、例えば、前記したデッキボード４ａや連結板４ｂと同様に構成することができる。
【００６３】
該縦芯材３ｃ１としての複合部材３と、該横芯材３ｃ２としての複合部材３は、例えば図２８〜２９に示すように、紙管原紙を以てなる板紙１６の複数枚を、該板紙１６の表面１５，１５相互を接着して積層状態に張り合わせることによって形成した積層支持材１３の３枚を所要間隔を置いて平行状態に配置すると共に、隣り合う積層支持材１３，１３間に、段ボール１７を重ね貼りして形成された添材１９を介装し、該添材１９と積層支持材１３とを接着により固定してなる。該縦芯材３ｃ１と該横芯材３ｃ２は、本実施例においては共に同一寸法の断面長方形状に形成されており、積層支持材１３の板紙１６の積層方向で見た厚さ（長辺長さ）は約５０ｍｍに設定され、又、積層方向と直交する方向で見た厚さ（短辺長さ）は約４０ｍｍに設定されている。
【００６４】
又、前記中間芯材３ｃ３としての複合部材３は、例えば図２８に示すように、前記と同様構成の積層支持材１３の両側面５６，５６に、前記と同様構成の添材１９，１９を接着により固定してなる。該中間芯材３ｃ３は、本実施例においては断面長方形状に形成されており、積層支持材１３の板紙１６の積層方向で見た厚さ（短辺長さ）は約２５ｍｍに設定され、又、積層方向と直交する方向で見た厚さ（長辺長さ）は約４０ｍｍに設定されている。
【００６５】
そして、該縦芯材３ｃ１、横芯材３ｃ２、中間芯材３ｃ３は、前記積層支持材１３の積層方向と直交する対向した支持端面３１，３１が、夫々、該積層方向と直交する方向に対して直角を呈する面一の面に形成されている。そして該支持端面３１，３１に、前記面材４ｃとしての結合部材４が当接状態で、接着剤を介して固定されてなり、該芯材３ｃと該面材４ｃとが本発明に係る結合構造物１を構成している。
【００６６】
かかる構成を有する壁パネル、フラッシュ戸、間仕切りパネルにあっては、前記面材４ｃ，４ｃに加わる荷重が、前記積層方向に直交する板紙１６の表面（硬質面）１５によって確実に支持される。
【００６７】
又図３０は、前記と同様構成の芯材３ｃの対向する一方の端面（複合部材の一方の支持端面３１）５１に面材４ｃが当接状態とされ、該芯材３ｃの該端面５１と該面材４ｃの当接面５５とが接着剤を介して固定されている。
【実施例２】
【００６８】
本発明は、前記実施例で示したものに限定されるものでは決してなく、「特許請求の範囲」の記載内で種々の設計変更が可能であることはいうまでもない。その一例を挙げれば次のようである。
【００６９】
(1) 本発明に係る結合構造物１を構成する複合部材３は、パレット等における支持しようとする荷重の大きさを考慮して、積層支持材１３の厚さ（板紙の積層枚数）やその配置状態（所要間隔を置いて複数枚を配置するか、中央に１枚配置するか等）が設定される。又、添材１９の大きさや配置状態は、該積層支持材１３の倒れ防止を確実に達成できると共に、該添材１９の端面３０が、結合部材４を安定した当接状態で固定させることのできる支持端面３１を形成するように設定されるものである。
【００７０】
積層支持材１３の厚さが厚くなる程、より大きな荷重を支持できる。又、所要間隔を置いて配置される積層支持材１３の枚数が多い程、より大きな荷重を支持でき、この場合、使用する積層支持材１３の厚さが厚い程、更に大きな荷重を支持できることになる。
【００７１】
かかる複合部材３の構成につき、これまで説明したものを含め、図３１により纏めて説明すれば次のようである。なお図３１においては、説明の便宜上、積層支持材１３にハッチングを付している。
【００７２】
図３１（Ａ）は、積層支持材１３の、前記板紙１６の積層方向で見た両側面２４，２４に添材１９，１９を接着により固定してなる複合部材３を示し、図３１（Ｂ）は、積層支持材１３の、前記板紙１６の積層方向で見た一方の側面２４にのみ添材１９を接着により固定してなる複合部材３を示す。
【００７３】
又図３１（Ｃ）は、所要間隔を置いて対向状態で配置された２枚の積層支持材１３，１３間に添材１９を介装し、該積層支持材１３と該添材１９とを接着により固定してなる複合部材３を示す。又図３１（Ｄ）は、積層支持材１３の３枚以上、例えば３枚や４枚等を所要間隔を置いて平行状態に配置すると共に、隣り合う積層支持材１３，１３間に添材１９を介装し、該添材１９と積層支持材１３とを接着により固定してなる複合部材３を示すものである。これらの複合部材３は、積層支持材１３の前記積層方向で見た一方の側面又は両側面に添材１９を接着により固定してなる複合部材３の一種でもある。
【００７４】
(2) 本発明は、結合構造物１の軽量化を達成する上から、前記添材１９を紙製又は発泡スチロール等の発泡合成樹脂製としている。そして該添材１９は、積層支持材１３が倒れないようにこれを安定的に保持させると共に、例えば図１０〜１１に拡大して示すように、該積層支持材１３の端面２９と面一の端面３０を形成して、所要面積を有する支持端面３１を構成するものである。
【００７５】
ここに紙製の添材は、前記段ボールを用いたものの他、段ボール製等の紙製ハニカムボードや、古紙を所要のブロック状に成形したものであってもよい。
【００７６】
図３２、図３３は、パレット２ａの桁材３ａ１，３ａ２として応用された複合部材３のその他の態様を示すものであり、添材１９の構成に特徴がある。該添材１９は、段ボール１７を重ね貼りして構成されており、該段ボール１７を構成する中芯２７の、山と谷の並設方向で見た端部分３５と前記ライナー２５との間で形成された溝状部６２の端面（上端）６３が前記支持端面３１の一部をなす。該段ボール１７としては、前記した各種の段ボールを使用できる。このように構成するときは、前記結合部材４（例えば前記デッキボード４ａや前記連結板４ｂ）を、面一の支持端面３１に接着剤を介して当接状態で固定する際、接着剤が該溝状部６２に溜まった状態となるため、該支持端面３１への接着剤の付着が良好となり、接着強度をより向上させ得る利点がある。
【００７７】
又図３４は、積層支持材１３の両側面２４，２４又は一方の側面２４に接着により固定される添材１９を段ボール１７を重ね貼りすることによって構成する場合のその他の態様を示すものであり、該段ボール１７の積層方向を上下方向とし、ライナー２５の表面（又は中芯の表面）６４が前記支持端面３１の一部をなすように構成されている。このように構成するときは、前記結合部材４を、面一の支持端面３１に接着剤を介して当接状態で固定する際、該支持端面３１への接着剤への付着が良好となり、接着強度をより向上させ得る利点がある。
【００７８】
図３５は、発泡合成樹脂製の添材１９を積層支持材１３の両側面２３，２３に接着により固定してなる複合部材３を示すものであり、又図３６は、積層支持材１３の一方の側面２３に該添材１９を接着により固定してなる複合部材３を示すものである。
【００７９】
その他、かかる紙製又は発泡合成樹脂製の添材１９は、隣り合う積層支持材１３，１３間に介装されて接着により固定されることもある。この場合、発泡合成樹脂製の添材１９と積層支持材１３との接着強度を比較的弱くすれば、該添材１９を該積層支持材１３と分離するのが容易となり、紙製の積層支持材１３のリサイクルの能率化を達成できて好ましい。
【００８０】
(3) 複合部材３を構成するために用いる積層支持材１３は、古紙を用いた板紙の複数枚を積層状態に張り合わせて構成するのが地球環境保護の観点から好ましいが、積層支持材１３の強度向上を図るために、板紙の一部として、天然パルプ製の板紙を用いることもある。
【００８１】
(4) 積層支持材１３を構成するために用いる板紙の厚さは、該積層支持材１３が支持せんとする荷重の大きさを考慮して、例えば０．５〜１．５ｍｍの範囲で適宜選択でき、又、該積層支持材１３の積層方向の厚さは、３ｍｍ、７ｍｍ、１６ｍｍ等、例えば３〜９０ｍｍの範囲で、積層支持材が支持せんとする荷重を考慮して所要厚さに設定できる。
【００８２】
(5) 図３７は、本発明に係る結合構造物１を応用して構成されたパレット２ａの他の態様を示すものであり、荷重支持力を向上させるために、前記のように配置された左右側の桁材３ａ１，３ａ１の、内面６５の前後端に位置させて、該桁材３ａ１，３ａ１を構成する複合部材３と同様構成の複合部材３からなる補強部材６６，６６を重ね合わせて接着等により固定している。
【００８３】
(6) 前記各実施例に示されているパレット２ａは、前後方向に延長する左右側の桁材３ａ１，３ａ１と中央の桁材３ａ２とを用いて構成されているが、例えば図３８（Ａ）（Ｂ）に示すように、比較的小さなブロック状の桁材（前記複合部材３を用いて構成された桁材）３ａを上下のデッキボード４ａ，４ａ間で前後左右に所要間隔を置いて配置することにより、パレット２ａを構成することもある。この場合、横荷重に対する該桁材３ａの強度アップを図って桁倒れを防止するために、図３９に示すように、該桁材３ａの側面６７に、複合部材３としての補強部材３ｄを重ねて接着等により固定することがある。該補強部材３ｄを構成する複合部材３は、例えば同図に示すように、その積層支持材１３を構成する板紙１６の積層方向を、前記桁材３ａを構成する複合部材３の積層支持材１３における板紙１６の積層方向と直交するように設定するのがよい。
【００８４】
(7) 本発明において、前記複合部材３の、前記板紙１６の積層方向と直交する方向で見た対向する端面の一方のみが支持端面３１とされることもある。
【００８５】
又、該対向する端面の両方が支持端面３１とされるか、その一方のみが支持端面３１とされるかを問わず、該支持端面３１は、面一に形成されずに凹凸面として形成されることもある。図４０は、支持端面３１が凹凸面として形成された場合の一例を示すものであり、本発明の結合構造物１がパレット２ａの製作に用いられた場合である。同図において、複合部材３としての桁材３ａの上の面５、即ち支持端面３１は、左右方向に長い矩形板状を呈する結合部材４としてのデッキボード４ａ（段ボール等の紙製）の中間部分６８や端部分６９を嵌め入れるための凹部７０が、前後方向に間隔を置いて設けられている。そして、該中間部分６８や該端部分６９を該凹部７０に嵌め入れると共に、これらを該凹部７０の内面に例えば接着により固定することにより、物品の載置面が形成されている。かかるパレット２ａにあっては、桁材３ａとしての複合部材３とデッキボード４ａとしての結合部材４とからなる結合構造物１が構成されており、該デッキボード４ａに物品が載置されることにより、その荷重が、前記桁材３ａに設けられている前記凹所７０の底面７１（即ち支持端面３１）で安定的に支持される。
【００８６】
(8) 図４１は四方差しパレットを示すものであり、各桁材３ａ，３ａ，３ａの前後部分に、フォークを差し込むための欠切部６９，６９が設けられている。
【００８７】
(9) 本発明に係る結合構造物１をパレットに応用する場合、該パレットの平面視の寸法は、前記したものの他、１１００ｍｍ四方のもの等、デッキボードに載置される物品の大きさや重量等を考慮して所要に設定される。
【００８８】
(10)本発明に係る結合構造物１は、板紙の積層方向に直交する方向の荷重を良好に支持できるものであり、前記したパレットや、壁パネル、フラッシュ戸、間仕切りパネル等のパネルに応用されることの他、コンテナやラック等の各種の構造体を構成するためにも応用され得る。
【００８９】
(11)積層支持材１３の支持端面３１に結合部材４を当接状態に固定する手段を一般的に説明すれば、接着剤や両面粘着テープを介して接着により固定する手段の他、前記積層支持材１３の端面２９との対向部位において前記結合部材４をステープル打込みにより固定する手段（針状部分に接着剤が塗付されたステープルを用いるのが好ましい）、ネジ釘のねじ込みにより固定する手段、釘の打ち入みにより固定する手段、更には、面ファスナによる着脱可能の固定手段等、各種の固定手段を採用できる。
【図面の簡単な説明】
【００９０】
【図１】本発明に係る結合構造物を応用して構成されたパレットを上から見た斜視図である。
【図２】そのパレットを下から見た斜視図である。
【図３】上から見た斜視図の左側部分を拡大して示す一部欠切斜視図である。
【図４】上から見た斜視図の中央部分を拡大して示す一部欠切斜視図である。
【図５】上から見た斜視図の右側部分を拡大して示す一部欠切斜視図である。
【図６】下から見た斜視図の左側部分を拡大して示す部分斜視図である。
【図７】下から見た斜視図の中央部分を拡大して示す部分斜視図である。
【図８】下から見た斜視図の右側部分を拡大して示す部分斜視図である。
【図９】パレットの前後方向正面側を示す部分拡大図である。
【図１０】左右の桁材を構成する複合部材の積層支持材の構成を説明する正面図である。
【図１１】中央の桁材を構成する複合部材の積層支持材の構成を説明する正面図である。
【図１２】複合部材を構成する段ボールを例示する斜視図である。
【図１３】デッキボードとしての結合部材の構成を説明する部分拡大正面図である。
【図１４】連結板としての結合部材を拡大して示す部分正面図である。
【図１５】積層支持材のみを桁材として用いた場合の問題点を説明する正面図である。
【図１６】板紙の積層方向を上下方向にして構成した積層支持材の問題点を説明する正面図である。
【図１７】結合部材としてのデッキボ−ドを桁材としての複合部材にステープルで固定した状態を示す斜視図と断面図である。
【図１８】桁材として複合部材とデッキボードとしての結合部材とを面ファスナを用いて着脱可能に固定して構成されたパレットを示す斜視図である。
【図１９】その左側部分を示す拡大正面図である。
【図２０】そのパレットを分解して示す斜視図である。
【図２１】３本の桁材を、複合部材としての横架材の複数本で連結して構成されたパレットを下から見た斜視図である。
【図２２】その左側部分、中央部分、右側部分を夫々拡大して示す部分斜視図である。
【図２３】本発明に係る結合構造物の他の実施例を示す斜視図である。
【図２４】その部分拡大図である。
【図２５】本発明に係る結合構造物を応用して構成されたパレットのその他の実施例を示す斜視図である。
【図２６】その正面図である。
【図２７】本発明に係る結合構造物を応用して構成された壁パネル、フラッシュ戸、間仕切りパネルを示す一部欠切斜視図である。
【図２８】その縦芯材と横芯材と中間芯材を分解して示す斜視図である。
【図２９】その壁パネル、フラッシュ戸、間仕切りパネルを示す平面図である。
【図３０】壁パネル、フラッシュ戸、間仕切りパネルの他の態様を示す平面図である。
【図３１】複合部材の各種の態様を説明する正面図である。
【図３２】パレットの左右側部分に応用された結合構造物のその他の態様を示す斜視図と、それに用いる複合部材の拡大部分正面図と、該複合部材を構成する段ボールを示す部分斜視図である。
【図３３】パレットの中央部分に応用された結合構造物のその他の態様を示す斜視図と、それに用いる複合部材の拡大部分正面図と、該複合部材を構成する段ボールを示す部分斜視図である。
【図３４】結合構造物のその他の態様を示す正面図である。
【図３５】発泡合成樹脂製の添材を用いた複合部材を示す正面図である。
【図３６】発泡合成樹脂製の添材を用いた複合部材の他の態様を示す正面図である。
【図３７】桁材を補強部材で補強してなるパレットを示す斜視図である。
【図３８】ブロック状の桁材を用いて構成されたパレットを示す斜視図である。
【図３９】桁材を補強部材で補強した状態を示す斜視図である。
【図４０】複合部材の他の態様を、結合構造物がパレットに用いられた場合について説明する斜視図と側面図である。
【図４１】四方差しのパレットを示す斜視図である。
【図４２】従来の段ボールパレットの一例を示す斜視図である。
【図４３】紙管を桁材として用いた従来のパレットを示す斜視図である。
【図４４】平板状段ボールを折り曲げ加工して構成する従来の段ボールパレットを説明する斜視図である。
【符号の説明】
【００９１】
１  結合構造物
２  構造体
３  複合部材
４  結合部材
１３  積層支持材
１５  板紙の表面
１６  板紙
１７  段ボール
１９  添材
２４  積層支持材の側面
２５  ライナー
２７  中芯
３１  支持端面
３７  ステープル
３９  面ファスナ
４２  ファスナ片
４３  ファスナ片
６２  溝状部
６３  溝状部の端面
【図１】
2009046140.tif 000003
【図２】
2009046140.tif 000004
【図３】
2009046140.tif 000005
【図４】
2009046140.tif 000006
【図５】
2009046140.tif 000007
【図６】
2009046140.tif 000008
【図７】
2009046140.tif 000009
【図８】
2009046140.tif 000010
【図９】
2009046140.tif 000011
【図１０】
2009046140.tif 000012
【図１１】
2009046140.tif 000013
【図１２】
2009046140.tif 000014
【図１３】
2009046140.tif 000015
【図１４】
2009046140.tif 000016
【図１５】
2009046140.tif 000017
【図１６】
2009046140.tif 000018
【図１７】
2009046140.tif 000019
【図１８】
2009046140.tif 000020
【図１９】
2009046140.tif 000021
【図２０】
2009046140.tif 000022
【図２１】
2009046140.tif 000023
【図２２】
2009046140.tif 000024
【図２３】
2009046140.tif 000025
【図２４】
2009046140.tif 000026
【図２５】
2009046140.tif 000027
【図２６】
2009046140.tif 000028
【図２７】
2009046140.tif 000029
【図２８】
2009046140.tif 000030
【図２９】
2009046140.tif 000031
【図３０】
2009046140.tif 000032
【図３１】
2009046140.tif 000033
【図３２】
2009046140.tif 000034
【図３３】
2009046140.tif 000035
【図３４】
2009046140.tif 000036
【図３５】
2009046140.tif 000037
【図３６】
2009046140.tif 000038
【図３７】
2009046140.tif 000039
【図３８】
2009046140.tif 000040
【図３９】
2009046140.tif 000041
【図４０】
2009046140.tif 000042
【図４１】
2009046140.tif 000043
【図４２】
2009046140.tif 000044
【図４３】
2009046140.tif 000045
【図４４】
2009046140.tif 000046